(57)【要約】製品の保管及び運搬のための容器は、収容部分（３）を規定するように互いに接続された複数の壁（２）及び、収容部分（３）の内部の温度を調整するための少なくとも１つの熱交換器（８）を含み、前記熱交換器（８）は少なくとも１つの前記壁（２）の内部に一体化されている。
2015512833.tif 000002
【特許請求の範囲】
【請求項１】
収容部分（３）を規定するように互いに接続される複数の壁（２）と、前記収容部分（３）の内部の温度を制御するための少なくとも１つの熱交換器（８）とを含む、製品の保管及び運搬のための容器であって、
前記熱交換器（８）は前記壁（２）の少なくとも１つの内部に一体化されていることを特徴とする容器。
【請求項２】
前記壁（２）が空間を有し、前記熱交換器（８）が熱ベクトル流体の流れのための、前記空間内に配置されるヘアピンコイル（９）を含むことを特徴とする、請求項１に記載の容器。
【請求項３】
前記壁（２）が多壁材料のパネル（１１）を含み、前記ヘアピンコイル（９）が前記パネル（１１）のセルによって規定されることを特徴とする、請求項２に記載の容器。
【請求項４】
前記熱交換器（８）は前記壁（２）を規定する堅固な金属の前記ヘアピンコイル（９）を含むことを特徴とする、先の請求項のいずれかに記載の容器。
【請求項５】
好ましくはプラスチック材料及び／又は好ましくは絶縁性で、前記壁（２）を覆うように前記金属のヘアピンコイル（９）の２つの側に対して置かれたパネル（１８）を含むことを特徴とする、請求項４に記載の容器。
【請求項６】
前記壁（２）は折りたたむことができるように互いにヒンジで接続されていることを特徴とする、先の請求項のいずれかに記載の容器。
【請求項７】
液体製品を収容するために、前記収容部分（３）の内部に配置される不浸透性材料の袋（１９）を含み、前記袋（１９）は前記製品を注入するための注入口（２０）及び前記製品を取り出すための排出口（２２）を有することを特徴とする、先の請求項のいずれかに記載の容器。
【請求項８】
前記袋（１９）に挿入可能な１つ以上のスペーサ（２６）をさらに含み、前記袋（１９）は前記スペーサ（２６）を挿入するための１つ以上の補助開口部（２４）を含むことを特徴とする、請求項７に記載の容器。
【請求項９】
前記スペーサ（２６）は膨張式の管状要素であることを特徴とする、請求項８に記載の容器。
【請求項１０】
前記熱ベクトル流体のために、前記熱交換器（８）と接続される調整装置（１０）をさらに含むことを特徴とする、先の請求項のいずれかに記載の容器。
【請求項１１】
先の請求項のいずれかによる複数の容器（１）と、各容器（１）の熱交換器（８）に接続される調整装置（１０）とを含む製品運搬システム。
【発明の詳細な説明】
【技術分野】
【０００１】
本発明は製品の保管及び運搬のための容器及びシステムに関する。
【０００２】
製品の保管及び運搬において、蓋が備えられた若しくは備えられていない、中に製品が設置される堅固な容器が使用される。
【発明の概要】
【０００３】
具体的には、これらの製品は容器内に配置され、又は液体製品の場合、容器内に導入される不浸透性の袋に導入され得る。
【０００４】
ある製品に対しては、製品の品質劣化を防ぐために、保管及び運搬は一定の又は制御された温度条件の下で実施されるのが好ましい。
【０００５】
他の場合では、ある製品は液状で導入され回収されるが、固形で保管され運搬され続ける。例えば、このタイプの製品はパーム油又はココアバターである。
【０００６】
この場合、製品は容器内に収容された袋に液状で導入され、運搬及び保管の間に凝固される。回収されるときに、別途の加熱手段を使用して製品が加熱され再び液化される。
【０００７】
既知の容器を使用すると、これらの操作は厄介で、それらを実行するのにかなりの時間が必要である。
【０００８】
これに関して、本発明が基づく技術的目的は、周知の技術における前述の難点を克服する、製品の保管及び運搬のための容器及びシステムを提案することである。
【０００９】
本発明の具体的な目的は、製品が単純な手法で調整された環境の中で保管及び運搬されることを可能にする、製品の保管及び運搬のための容器及びシステムを提供することである。
【００１０】
前述の技術的目的及び特定の目的は、添付の請求項の１つ以上に記載される技術的特徴を含む、製品の保管及び運搬のための容器及びシステムによって十分に達成される。
【図面の簡単な説明】
【００１１】
本発明のさらなる特徴及び利点は、添付の図に図示されるように、製品の保管及び運搬のための容器及びシステムの好ましいが非排他的な実施形態の、例示でありそれ故に制限しない説明からより明らかになるであろう。
【００１２】
【図１】本発明の第一実施形態に従う、製品の保管及び運搬のための容器の斜視図である。
【図２】図１の容器の細部の斜視図である。
【図３】本発明に従う容器の第二実施形態の斜視図である。
【図４】図３の容器の細部の斜視図である。
【図５】本発明に従う容器の代替実施形態の断面である。
【図６】本発明に従う製品の保管及び運搬のためのシステムの略図である。
【発明を実施するための形態】
【００１３】
添付の図を参照すると、参照番号１は本発明に従う製品の保管及び運搬のための容器の全体を指す。
【００１４】
容器１は0.9m3から1.6m3の間の容積を有するIBC、つまり中間容積容器（intermediate bulk container）が好ましい。
【００１５】
容器１は、製品を収容するための収容部分３を規定するように互いに接続される複数の壁２を含む。
【００１６】
図示されるとおり、容器１は、収容部分３が立方体形状となるように互いに接続される５つの壁２、つまり１つの底壁及び４つの側壁を含む。これらの壁３は四角形である。
【００１７】
容器１はまた側壁２の１つとヒンジ結合される蓋４を含む。他の実施形態では、蓋がない。
【００１８】
立方体形状は必須の特徴ではないことに留意されたい。この点において、他の図示されていない実施形態では、容器１は異なる数の壁２を含み、異なる数の壁２は円筒状、概平行六面体、六角形断面、八角形又はその他のような異なる形状の、対応する収容部分２を規定するように互いに接続される。
【００１９】
ベース５は底壁２と連結している。例えば、このベース５は容器１を容易にかつすぐに動かすことを可能にするパレットでも良い。例えばベース５はまた、底壁２と接続している一体部品でも良い。
【００２０】
加えて、容器１の取扱いを容易にするために、車輪（図示なし）がベース５に取付けられる場合もある。
【００２１】
リブ６は補強として壁と結合され得る。
【００２２】
加えて、角補強部材７は容器１の頂点と連結され得る。
【００２３】
容器１はまた、収容部分３の内部の温度を制御するために少なくとも１つの熱交換器８を含む。
【００２４】
本発明に従い、熱交換器８は少なくとも１つの壁２の内部に一体化されている。
【００２５】
容器１は、各々が対応する壁２の内部に一体化される、複数の熱交換器８を含むのが好ましい。蓋４はまた、個別の熱交換器８の内部に一体化され得る。
【００２６】
有利には、全ての熱交換器は壁２の内部に一体化されるそれぞれのヘアピンコイル９を含む。コイル９には、容器１とは別の適切な調整装置１０によって調整される熱ベクトル（thermovector）流体の流れが与えられる。
【００２７】
壁２の内部に一体化される熱交換器８は、可撓性パイプを介して相互に流体連結されている。若しくはそれらは、種々の壁２を互いに接続する壁２の支持構造の内部に備えられた、流体継ぎ手を介して、又は流路を介して流体連結することができる。
【００２８】
有利には、熱ベクトル流体は単なる水である。又は、熱ベクトル流体はグリコールのような１つ以上の添加物を有する水でも良い。
【００２９】
図示されていない実施形態では、ヘアピンコイル９を規定する流路の間に、相変化物質で満たされた補助流路が配置される。
【００３０】
例えば、このような物質は石油精製の副産物として若しくは重合によって得られるパラフィン系有機複合材料及び炭化水素、並びに含水塩のようなある無機化合物でも良い。
【００３１】
これらの材料を使用することは、収容部分３の熱安定性を大幅に増加させる。
【００３２】
図１及び２に図示される実施形態において、壁２はプラスチック材料で、好ましくはポリカーボネートであるパネル１１を含む。
【００３３】
パネル１１は、その間に空間が規定される２つの面１２を含む、多層材料であるのが好ましい。例えば多壁形状の構造がその空間内に固定されている。
【００３４】
具体的には、多壁構造はセルがパネル１１の厚さをほぼ横断する方向に沿って延びるように配置される。
【００３５】
このように、ヘアピンコイル９は、内部に熱ベクトル流体が導かれるパネル１１の適切に接続されたセルによって規定される。
【００３６】
例えば、特に図２に図示されるように、各パネル１１はパネル１１の端部に配置される閉鎖部材１５を有する。各パネル１１のセルの間の開口部（図示なし）は流体が１つのセルから他のセルに通過することを可能にする。
【００３７】
接続要素２７は閉鎖部材１５が関連するパネルに固定されることを可能にする。
【００３８】
又は、図２に図示されるように、接続要素は閉鎖部材１５を互いに接続できる。
【００３９】
図３及び４に図示される実施形態において、ヘアピンコイル９は堅固かつ金属製である。
【００４０】
この場合、ヘアピンコイル９は各々、金属製の湾曲管状部材１７によって互いに接続された複数の導管１６を含む。
【００４１】
このように、ヘアピンコイル９は壁２を規定するのに十分な剛性を有する。
【００４２】
好ましくはプラスチック材料及び／又は好ましくは熱的に絶縁な２つのパネル１８が、各壁２を閉じて覆うように、各ヘアピンコイル９に対して置かれている。
【００４３】
全ての場合において、壁２は共に回転可能なように接続され得る。例えば、壁２は互いにヒンジ結合される。
【００４４】
このようにして、容器１の壁２は使用されていないときに容器１の容積を小さくするために折りたたむことができる。
【００４５】
好ましい実施形態において（図５）、容器１はまた、好ましくはプラスチックである不浸透性及び可撓性を示す材料で形成される袋１９を含む。
【００４６】
例えば、材料はポリエチレンフィルムでも良く、若しくは袋を溶接する場合に限っては、互いに接着されるいつかのフィルム層を含み得るポリエチレン及びポリアミドの積層フィルムでも良い。
【００４７】
袋１９は収容部分３に導入され、液体製品で充たされる。
【００４８】
袋１９は、袋１９の中に製品を導入できるようにする注入口２０を有する。
【００４９】
注入口２０は注入口キャップ２１によって閉じられる。注入口２０は、袋１９が収容部分３に導入されるときに、容器１の蓋４に位置する。
【００５０】
袋１９はまた、製品を取り出せるようにする排出口２２を有する。
【００５１】
排出口２２は排出口キャップ２３によって閉じられる。排出口２２は、袋１９が収容部分３に導入されると、底壁２に位置する。
【００５２】
排出口２２は、キャップ２３と同じように、容器１の壁２の１つに備えられる排出穴２８に位置する。
【００５３】
このようにして、袋１９を収容部分３から取り出すことなく、穴２８を介して排出口２３にアクセスすることにより袋１９が空にされ得る。
【００５４】
図５に図示されるように、排出穴２８は側壁２に位置する。しかし、代わりに底面２に位置する場合もある。
【００５５】
袋１９はまた、袋１９の内部にさらにアクセスできるようにする１つ以上の補助開口部２４を有する。
【００５６】
補助開口部２４は補助キャップ２５によって閉じられる場合もあり、又は一方向のフローバルブの形態の場合もある。補助開口部２４は、袋１９が収容部分３に導入されると、容器１の蓋４に位置することが好ましい。しかし、補助開口部２４は代わりに容器１の他の壁２に位置する場合もある。
【００５７】
この点において、容器１は袋１９に挿入可能な１つ以上のスペーサ２６を含む。
【００５８】
この挿入は注入の前、間、又は後に行われる。
【００５９】
スペーサ２６は、充填後に凝固する液体製品の場合に有利に適用される。
【００６０】
この場合、袋１９を空にしようとすると、製品は再び液化されなければいけないため加熱される。
【００６１】
スペーサ２６は凝固した製品の中に、加熱要素が挿入される空洞を作り出す。
【００６２】
この場合、製品は壁２と連結されるヘアピンコイル９によって外側から、及びスペーサ２６によって形成された空洞に挿入された加熱要素によって内側から溶かされる。
【００６３】
スペーサ２６は補助開口部２４を通って袋１９内に挿入される。
【００６４】
例えば、スペーサ２６は好ましくは円形の断面を持つ管状要素である。しかし他の形状も可能である。
【００６５】
スペーサ２６は、使用されていないときにその容積が最小に減少するような膨張式要素であるのが好ましい。
【００６６】
調整装置１０を参照すると、これは種々の供給手段に接続され得る。
【００６７】
例えば、それは電気電源に接続され得る。あるいは、それは車両のオルタネータに接続され得る。
【００６８】
また、調整装置１０は太陽電池パネル又は風力発電機に接続され得る。
【００６９】
前記容器はIBC容器であるが、他のタイプの容器の場合もある。
【００７０】
例として、容器１は20ftまたは40ftのインターモーダルコンテナである。
【００７１】
また、容器は商品運搬のためのトラック又はトレーラの収容ボディの場合がある。
【００７２】
本発明はまた、前述のような複数の容器１を含む、製品の保管及び運搬のためのシステム３０に関する（図６）。
【００７３】
システム３０はまた、要求される温度で熱ベクトル流体を与えるために、パイプ３１を介して容器１と接続される前記調整装置１０を含む。
【００７４】
容器１は、それぞれの収容部分３の調整を均一にするために、互いに並列に接続されるのが好ましい。
【００７５】
あるいは、容器１は直列に接続される場合がある。
【００７６】
調整装置１０は、熱ベクトル流体を冷却又は加熱する熱交換器を含む。ポンプ３２は、熱ベクトル流体の正確な流れを確保するために、調整装置１０の下流に取付けられる。
【００７７】
図示されていない実施形態において、システム３０は海上輸送に適用される。この場合、システムは調整装置を含まないが、海から水を回収し、それを容器１の熱交換器８を通して循環させるポンプ３２を含む。
【００７８】
海水の温度は、さらなるエネルギを無駄にすることなく、収容部分３の良い調整を確保するのに十分低く且つ安定している。
【００７９】
故に記載の発明は提示された目的を達成し、重要な利点を提供する。
【００８０】
この点において、記載の容器及びシステムは、単純な手法で調整された環境、つまり調整された温度で、製品を保管し運搬することを可能にする。
【００８１】
これは特に、運搬または保管される製品が、温度条件の変化によって影響される特徴を示す場合に利点となる。
【００８２】
さらに、凝固された液体製品を運搬するにあたって、製品の充填及び排出は製品が再び溶解されるときに加速される。
【図１】
2015512833.tif 000003
【図２】
2015512833.tif 000004
【図３】
2015512833.tif 000005
【図４】
2015512833.tif 000006
【図５】
2015512833.tif 000007
【図６】
2015512833.tif 000008
【国際調査報告】
2015512833.tif 000009
2015512833.tif 000010
2015512833.tif 000011
2015512833.tif 000012
2015512833.tif 000013